(57)【要約】【課題】照明対象物または照明対象領域と調和し易く、且つ、照明対象物または照明対象領域の観察し易さに悪影響を及ぼすことを抑制された照明装置を提供する。【解決手段】照明装置１０は、曲面部２６及び屈曲部２７の少なくとも一方を含む可視光透過性のパネル２０と、パネルの端面２０ｃに対面して位置する光源１５と、を有する。パネルは、光散乱要素を含んでいる。【選択図】図１
2018125191.tif 000002
【特許請求の範囲】
【請求項１】
光源と、
前記光源からの光を受けるパネルであって、屈曲部および曲面部の少なくとも一方を含む可視光透過性のパネルと、を備え、
前記パネルは、光散乱要素を含んでいる、照明装置。
【請求項２】
前記パネルは、パネル本体と、前記パネル本体内に設けられた前記光散乱要素と、を含む、請求項１に記載の照明装置。
【請求項３】
前記パネルの各領域での光散乱能は一定ではない、請求項１又は２に記載の照明装置。
【請求項４】
前記パネルの各領域でのヘイズ値は一定ではない、請求項１〜３のいずれか一項に記載の照明装置。
【請求項５】
前記パネルは、平板状の第１パネル部と、平板状の第２パネル部と、前記第１パネル部及び前記第２パネル部を接続し前記屈曲部または前記曲面部を含む接続部と、を有し、
前記第１パネル部での光散乱能は、前記第２パネル部での光散乱能よりも高い、請求項１〜４のいずれか一項に記載の照明装置。
【請求項６】
前記光源は、前記第２パネル部に対面して位置する、請求項５に記載の照明装置。
【請求項７】
前記屈曲部または前記曲面部において前記パネルに積層された反射層を、更に備える、請求項１〜６のいずれか一項に記載の照明装置。
【請求項８】
前記屈曲部または前記曲面部において前記パネルを覆う遮光部材を、更に備える、請求項１〜７のいずれか一項に記載の照明装置。
【請求項９】
前記遮光部材は、前記パネルに向けて光を反射する反射層を有する、請求項８に記載の照明装置。
【請求項１０】
前記パネルは、筒状の筒状側部と、前記筒状側部の一方の開口を塞ぐ天板部と、前記筒状側部及び前記天板部を接続し前記屈曲部または前記曲面部を含む接続部と、を有し、
前記光源は、前記筒状側部に対面している、請求項１〜９のいずれか一項に記載の照明装置。
【請求項１１】
前記筒状側部は、平板状の複数の側パネル部と、二つの側パネル部を接続し前記屈曲部または前記曲面部を含む側接続部と、を有する、請求項１０に記載の照明装置。
【請求項１２】
前記パネルの前記第２の主面からの出射光量は、前記パネルの前記第１の主面からの出射光量よりも多い、請求項１〜１１のいずれか一項に記載の照明装置。
【請求項１３】
請求項１〜１２のいずれか一項に記載の照明装置を備える、展示装置。
【請求項１４】
前記１０又は１１に記載の照明装置を備える、展示装置。
【発明の詳細な説明】
【技術分野】
【０００１】
本発明は、照明装置および展示装置に関する。
【背景技術】
【０００２】
照明対象物または照明対象領域を照明する照明装置が広く普及している。一例として、展示物を照明する用途にて照明装置が用いられることがある。
【０００３】
照明装置は、照明光を射出する光源を有している。光源を照明対象物または照明対象領域の近傍に配置することで、照明対象物または照明対象領域を効率的に明るく照明することができる。しかしながら、光源を照明対象物または照明対象領域の近傍に位置すると、光源が照明対象物または照明対象領域と重なり、照明対象物または照明対象領域を観察しにくくなる。
【０００４】
また、光源が照明対象物または照明対象領域と調和せず、照明対象物または照明対象領域の意匠性を害することもある。また、光源に付属する配線やスイッチが視認されることで、意匠性を大きく低下させることもある。
【先行技術文献】
【特許文献】
【０００５】
【特許文献１】特許５９８２２２７号
【発明の概要】
【発明が解決しようとする課題】
【０００６】
本発明は、以上の点を考慮してなされたものであり、照明対象物または照明対象領域と調和し易く、且つ、照明対象物または照明対象領域の観察し易さに悪影響を及ぼすことを抑制された照明装置および展示装置を提供することを目的とする。
【課題を解決するための手段】
【０００７】
本発明による照明装置は、
光源と、
前記光源からの光を受けるパネルであって、屈曲部および曲面部の少なくとも一方を含む可視光透過性のパネルと、を備え、
前記パネルは、光散乱要素を含んでいる。
【０００８】
本発明による照明装置において、前記パネルは、パネル本体と、前記パネル本体内に設けられた前記光散乱要素と、を含んでいてもよい。
【０００９】
本発明による照明装置において、前記パネルの各領域での光散乱能は一定でなくてもよい。
【００１０】
本発明による照明装置において、前記パネルの各領域でのヘイズ値は一定でなくてもよい。
【００１１】
本発明による照明装置において、
前記パネルは、平板状の第１パネル部と、平板状の第２パネル部と、前記第１パネル部及び前記第２パネル部を接続し前記屈曲部または前記曲面部を含む接続部と、を有し、
前記第１パネル部での光散乱能は、前記第２パネル部での光散乱能よりも高くなっていてもよい。
【００１２】
本発明による照明装置において、前記光源は、前記第２パネル部に対面して位置していてもよい。
【００１３】
本発明による照明装置が、前記屈曲部または前記曲面部において前記パネルに積層された反射層を、更に備えるようにしてもよい。
【００１４】
本発明による照明装置が、前記屈曲部または前記曲面部において前記パネルを覆う遮光部材を、更に備えるようにしてもよい。
【００１５】
本発明による照明装置において、前記遮光部材は、前記パネルに向けて光を反射する反射層を有するようにしてもよい。
【００１６】
本発明による照明装置において、
前記パネルは、筒状の筒状側部と、前記筒状側部の一方の開口を塞ぐ天板部と、前記筒状側部及び前記天板部を接続し前記屈曲部または前記曲面部を含む接続部と、を有し、
前記光源は、前記筒状側部に対面していてもよい。
【００１７】
本発明による照明装置において、前記筒状側部は、平板状の複数の側パネル部と、二つの側パネル部を接続し前記屈曲部または前記曲面部を含む側接続部と、を有するようにしてもよい。
【００１８】
本発明による照明装置において、前記パネルの前記第２の主面からの出射光量は、前記パネルの前記第１の主面からの出射光量よりも多くなっていてもよい。
【００１９】
本発明による展示装置は、上述した本発明による照明装置のいずれかを備える。
【００２０】
本発明のよる展示装置において、
前記パネルは、筒状の筒状側部と、前記筒状側部の一方の開口を塞ぐ天板部と、前記筒状側部及び前記天板部を接続し前記屈曲部または前記曲面部を含む接続部と、を有し、
前記光源は、前記筒状側部の他方の開口を画成する側の端面に対面していてもよい。
【００２１】
本発明のよる展示装置において、前記筒状側部は、平板状の複数の側パネル部と、二つの側パネル部を接続し前記屈曲部または前記曲面部を含む側接続部と、を有するようにしてもよい。
【発明の効果】
【００２２】
本発明によれば、照明装置は、照明対象物または照明対象領域と調和し易く、また、照明対象物または照明対象領域の観察し易さに悪影響を及ぼすことを抑制されている。
【図面の簡単な説明】
【００２３】
【図１】図１は、本発明の一実施の形態を説明するための図であって、展示装置及び照明装置の一実施の形態を示す斜視図である。
【図２】図２は、図１に示された展示装置及び照明装置を示す縦断面図である。
【図３】図３は、図２と同一の断面において照明装置を示す図である。
【図４】図４は、図２と同一の断面において照明装置のパネルの一例を示す図である。
【図５】図５は、図４に対応する図であって、パネルの他の例を示す図である。
【図６】図６は、図４に対応する図であって、パネルの更に他の例を示す図である。
【図７】図７は、図４に対応する図であって、パネルの更に他の例を示す図である。
【図８】図８は、図４に対応する図であって、パネルの更に他の例を示す図である。
【図９】図９は、曲面部の曲率半径をＲ２０ｍｍとしたパネルを、入射光の光路シミュレーション結果とともに、示す側断面図である。
【図１０】図１０は、曲面部の曲率半径をＲ３０ｍｍとしたパネルを、入射光の光路シミュレーション結果とともに、示す側断面図である。
【図１１】図１１は、曲面部の曲率半径をＲ４０ｍｍとしたパネルを、入射光の光路シミュレーション結果とともに、示す側断面図である。
【図１２】図１２は、曲面部の曲率半径をＲ２０ｍｍとしたパネルを、入射光の光路シミュレーション結果とともに、示す斜視図である。
【図１３】図１３は、曲面部の曲率半径をＲ４０ｍｍとしたパネルを、入射光の光路シミュレーション結果とともに、示す斜視図である。
【図１４】図１４は、図３と同一の断面において、曲面部を含むパネルを曲面部に設けられた反射層とともに示す図である。
【図１５】図１５は、図３と同一の断面において、曲面部を含むパネルを曲面部に設けられた遮蔽部材とともに示す図である。
【図１６】図１６は、図３と同一の断面において、屈曲部を含むパネルを屈曲部に設けられた反射層とともに示す図である。
【図１７】図１７は、図３と同一の断面において、屈曲部を含むパネルを屈曲部に設けられた反射層とともに示す図である。
【図１８】図１８は、照明装置の一変形例を示す斜視図である。
【図１９】図１９は、照明装置の他の変形例を示す縦断面図である。
【図２０】図２０は、照明装置の更に他の変形例を示す縦断面図である。
【図２１】図２１は、光源の配置の一変形例を示す図である。
【発明を実施するための形態】
【００２４】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２５】
なお、本明細書において、「パネル」、「板」、「シート」の用語は、呼称の違いのみに基づいて、互いから区別されるものではない。例えば、「パネル」は板やシートと呼ばれ得るような部材も含む概念であり、呼称の違いのみにおいて区別され得ない。
【００２６】
また、「パネル面（板面、シート面）」とは、対象となるパネル状（板状、シート状）の部材を全体的かつ大局的に見た場合において当該パネル状（板状、シート状）の部材の面と一致する面のことを指す。
【００２７】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２８】
図１〜図２１は、本発明の一実施の形態およびその変形例を説明するための図である。このうち図１及び図２は、それぞれ、照明装置を示す斜視図または側断面図である。図１及び図２に示すように、図示された照明装置１０は、それ自体で展示装置５を構成し、いわゆるショーケース又は展示ケースとして用いられ得る。すなわち、以下において、照明装置１０を展示装置５に適用した例を説明する。ただし、図示された例に限られず、照明装置１０が、他の部材との組み合わせによって展示装置５を構成するようにしてもよいし、展示装置５以外に適用されていてもよい。
【００２９】
図１及び図２に示すように、照明装置１０は、パネル２０と、パネル２０の端面２０ｃに対面して配置された光源１５と、を有している。光源１５から射出した光は、パネル２０に入射してパネル２０内を進む。パネル２０は、光散乱要素５０を含んでいる。光散乱要素５０は、当該パネル２０内を進む光の進行方向を変化させる。この照明装置１０において、光源１５から射出した光は、パネル２０に端面２０ｃから入射し、反射とりわけ全反射することで当該パネル２０内を進む。パネル２０内を進む光は、光散乱要素５０によって散乱することでパネル２０から出射し、照明対象物Ｘまたは照明対象領域Ｚを照明する。
【００３０】
さらに、図示された照明装置１０において、パネル２０は、照明対象物Ｘを配置可能な照明対象領域Ｚを区画する。パネル２０は、照明対象領域Ｚに向けて光を射出可能になっている。したがって、この照明装置１０は、照明対象領域Ｚを照明可能な展示装置５として機能する。とりわけ、図示された照明装置１０は、照明対象物Ｘが載置されるようになる支持ベース７０を更に備えている。照明対象領域Ｚは、支持ベース７０の照明対象物Ｘが載置されるようになる部分の上方に形成される。
【００３１】
以下、各構成要素について詳述していく。
【００３２】
まず、支持ベース７０について説明する。支持ベース７０は、パネル２０を保持する部位としても機能する。すなわち、図示された例において、支持ベース７０は、照明対象物Ｘを支持する部位およびパネル２０を保持する部位の両方として機能する。このため、支持ベース７０は、照明対象物Ｘが載置されるようになる載置部７１と、パネル２０を保持する保持部７２と、を有している。支持ベース７０は、例えば、樹脂射出成形物として、載置部７１及び保持部７２を一体的に形成され得る。
【００３３】
支持ベース７０は、パネル２０の構成に応じて、また意匠性を考慮して設計される。図１及び図２に示された支持ベース７０は、後述するパネル２０の構成に応じて、略矩形状の平面視形状を有している。載置部７１は、平板状に形成されている。載置部７１の平面視形状は、略矩形状となっている。保持部７２は、平板状の載置部７１の外周縁に沿って延びている。保持部７２は、パネル２０の構成に応じて周状に形成され、載置部７１を取り囲んでいる。保持部７２は、図２及び図３に示された縦断面において、凹状の断面形状を有している。図２及び図３に示された配置において、保持部７２は、上方に開口しており、パネル２０の端部を下方から保持している。図３によく示されているように、パネル２０の端面２０ｃは、保持部７２がなす凹状の内部に配置されている。
【００３４】
次に、光源１５について説明する。光源１５は、照明光として用いられるようになる光を射出する部位である。光源１５は、特に限定されることなく、光を発光する部材を広く用いることができる。光源として、例えば、冷陰極管、点状のＬＥＤ（発光ダイオード）、白熱電球、レーザー発振装置等を用いることができる。図示された例において、光源１５は、複数のＬＥＤによって構成されている。
【００３５】
光源１５は、パネル２０の端面２０ｃに対面して配置されている。図示された例では、パネル２０の端面２０ｃが、図３に示すように、支持ベース７０の保持部７２がなす凹部内に、配置されている。光源１５は、端面２０ｃに対面するよう、保持部７２に支持されている。図示された例では、複数の光源１５が、保持部７２の長手方向に沿って、間隔を開けて配列されている。つまり、複数の光源１５は、パネル２０の周状に延びる端面２０ｃに沿って配列されている。好ましくは、光源１５から射出した光が、パネル２０内に均等に入射するよう、複数の光源１５が、例えば等間隔で、配列される。なお、支持ベース７０が、光源１５に供給される電力源、例えば電池、光源１５に電力を供給するための配線、光源１５の発光および発光停止を切り替えるためのスイッチ等を支持するようにしてもよい。
【００３６】
次に、パネル２０について説明する。パネル２０は、パネル状の部材である。すなわち、パネル２０は、対向して配置された第１主面２０ａ及び第２主面２０ｂと、第１主面２０ａ及び第２主面２０ｂを接続する端面２０ｃと、を含んでいる。本実施の形態において、パネル２０は、曲面部２６及び屈曲部２７の少なくとも一方を有する。したがって、パネル２０は、少なくとも一部が湾曲した又は折り曲がったパネル状の部材となっている。
【００３７】
また、パネル２０は、上述したように光を導光する部材である。そして、パネル２０は、可視光透過性を有している。このような構成により、照明対象物Ｘまたは照明対象領域Ｚから離間して光源１５を配置するとともに、パネル２０によって光源１５から射出した光を照明対象物Ｘまたは照明対象領域Ｚの近傍まで誘導し、さらに、パネル２０それ自体によって照明対象物Ｘまたは照明対象領域Ｚを観察し得なくしてしまうことを効果的に回避している。
【００３８】
なお、可視光透過性とは、パネル２０が或る程度の透視性を有することを意味している。好ましくは、パネル２０の可視光域での全光線透過率が、５０％以上であることが好ましく、８０％以上であることがより好ましい。全光線透過率は、透過率計（村上色彩技術研究所製、製品番号；ＨＭ−１５０）を用いてＪＩＳ  Ｋ７３６１に準拠した方法により測定することができる。
【００３９】
また、パネル２０に優れた透視性を付与する観点からは、第１主面２０ａ及び第２主面２０ｂが平滑であることが好ましい。具体的には、第１主面２０ａ及び第２主面２０ｂでの算術平均粗さＲａが、３００ｎｍ以下であることが好ましく、１００ｎｍ以下であることがより好ましい。ここでいう算術平均粗さＲａとは、ＪＩＳ  Ｂ  ０６０１に準拠して測定される値である。
【００４０】
一例として、図３に示すように、パネル２０は、平板状の第１パネル部３１と、平板状の第２パネル部３２と、曲面部２６または屈曲部２７を含む接続部３３と、を有するようにしてもよい。接続部３３は、第１パネル部３１及び第２パネル部３２を接続している。図４に示すように、第１パネル部３１は、一対の主面としての第１パネル部第１主面３１ａ及び第１パネル部第２主面３１ｂと、一対の主面３１ａ，３１ｂの間を接続する部位としての端面部３１ｃと、を有している。同様に、第２パネル部３２は、一対の主面としての第２パネル部第１主面３２ａ及び第２パネル部第２主面３２ｂと、一対の主面３２ａ，３２ｂの間を接続する部位としての端面部３２ｃと、を有している。さらに、接続部３３は、一対の主面としての接続部第１主面３３ａ及び接続部第２主面３３ｂと、一対の主面３３ａ，３３ｂの間を接続する部位としての端面部３３ｃと、を有している。
【００４１】
接続部３３の端面部３３ｃが、第１パネル部３１の端面部３３ｃおよび第２パネル部３２の端面部３２ｃと接続している。この結果、第１パネル部３１、接続部３３及び第２パネル部３２によって、一つのパネルが形成されている。そして、第１パネル部第１主面３１ａ、接続部第１主面３３ａ及び第２パネル部第１主面３２ａが、連続して接続され、連続面としてのパネル２０の第１主面２０ａが形成されている。また、第１パネル部第２主面３１ｂ、接続部第２主面３３ｂ及び第２パネル部第２主面３２ｂが、連続して接続され、連続面としてのパネル２０の第２主面２０ｂが形成されている。図３に示された例において、第２パネル部３２の端面部２０ｃが、光源１５と対面している。
【００４２】
なお、第１パネル部３１、接続部３３及び第２パネル部３２は、粘着層や接着層からなる接合層を介して接続されていてもよい。第１パネル部３１及び接続部３３が、又は、接続部３３及び第２パネル部３２が、又は、第１パネル部３１、接続部３３及び第２パネル部３２が、例えば樹脂射出成形物として、一体的に形成されていてもよい。
【００４３】
また、図示されたパネル２０は、全体的に捉えると、開口を有する中空材として形成されている。図１に示されたパネル２０は、筒状の筒状側部４０と、筒状側部４０の一方の開口を塞ぐ天板部４３と、筒状側部４０及び天板部４３を接続する接続部４４と、を有している。接続部４４は、曲面部２６または屈曲部２７を含んでいる。筒状側部４０は、平板状の複数の側パネル部４１と、二つの側パネル部４１を接続する側接続部４２と、を有している。側接続部４２は、曲面部２６または屈曲部２７を含んでいる。図示された例において、接続部４４及び側接続部４２は、ともに曲面部２６として形成されている。つまり、図示されたパネル２０は、外輪郭が立方体または直方体となっている中空材について、一つの面を取り除き且つ隣り合う面の接続縁を面取りしてなる形状を有している。また、光源１５は、筒状側部４０の他方の開口を画成する側となるパネル２０の端面２０ｃ、すなわち天板部４３とは反対側となるパネル２０の端面２０ｃに対面して位置している。
【００４４】
上述したように、パネル２０は、当該パネル２０内を進む光を散乱させる光散乱要素５０を有している。光散乱要素５０として、パネル２０内を進む光の進行方向を変更し得る種々の要素を用いることができる。例えば、光散乱要素５０は、パネル２０の主面２０ａ，２０ｂに設けられるようにしてもよい。このような光散乱要素５０としては、凹凸を例示することができる。凹凸は、特定の形状を有するようにしてもよいし、所謂マット面のように粗面としてもよい。
【００４５】
また、光散乱要素５０は、パネル２０内に含有される要素であってもよい。図４に示された例において、パネル２０は、パネル本体４７と、パネル本体４７内に分散した光散乱要素５０と、を有している。この例において、パネル本体４７は、可視光透過性を有した樹脂とすることができる。一方、光散乱要素５０は、反射、屈折、回折等によって光の進行方向を変化させる機能を発揮し得る成分である。この光散乱要素５０として、金属化合物、気体を含有した多孔質物質、金属化合物を周囲に保持した樹脂ビーズ、白色微粒子、気泡、周囲と屈折率が異なる粒子が、例示され得る。
【００４６】
図示された例において、パネル２０の各領域での光散乱能は、一定ではなく、異なっている。すなわち、パネル２０の光散乱能は、パネル面に沿った各領域で変化する。さらに言い換えると、パネル２０の或る領域での光散乱能は、当該領域からパネル面に沿ってずれた他の領域での光散乱能と異なっている。パネル２０のパネル面に沿った各領域での光散乱能を変化させることにより、各領域からの出射光量を調節することができる。
【００４７】
光散乱能は、パネル２０がその内部を通過する光を散乱させる性能の強さのことである。光散乱能の程度は、一例として、ＪＩＳ−Ｋ７３６１−１に準拠して測定されるヘイズ値［％］を用いて評価することができ、ヘイズ値［％］が高いと光散乱能が高いということになる。したがって、図示された例では、パネル２０のパネル面への法線方向に透過する透過ヘイズ値が、パネル２０の各領域で一定ではなく、異なる値を持つようになる。ヘイズ値［％］は、ヘイズメーター（村上色彩技術研究所製、製品番号；ＨＭ−１５０）を用いてＪＩＳ  Ｋ７１３６に準拠した方法により測定することができる。
【００４８】
光散乱要素５０が、パネル２０の主面２０ａ，２０ｂに設けられた凹凸である場合には、パネル面に沿った単位面積のうちの凹凸が設けられている面積の割合、すなわち面積比を高くすることで、光散乱能を高くすることができる。光散乱要素５０が、パネル本体４７に含有される光散乱要素５０を含む場合には、パネル２０内における光散乱要素５０の体積比を高めること、粒子密度を高めること、粒径を大きくすること、パネル本体４７と光散乱要素５０の屈折率差を大きくすることで、光散乱能を高くすることができる。
【００４９】
また、図２に示すように、パネル２０が、光散乱要素５０を含む散乱領域Ａａと、光散乱要素５０を含まない非散乱領域Ａｂと、にパネル面に沿って区分けられていてもよい。このような非散乱領域Ａｂと散乱領域Ａａとの間でも、光散乱能の高さが異なり、且つ、ヘイズ値も異なるようになる。
【００５０】
図２に示された例では、パネル２０の上方に位置する第１パネル部３１または天板部４３が、パネル面に沿った概ね全域に亘って、散乱領域Ａａを形成している。一方、接続部３３又は接続部４４は、パネル面に沿った概ね全域に亘って、非散乱領域Ａｂを形成している。また、筒状側部４０の側パネル部４１又は第２パネル部３２は、パネル面に沿った一部の領域において散乱領域Ａａを形成し、その他の領域において非散乱領域Ａｂを形成している。パネル２０が散乱領域Ａａ及び非散乱領域Ａｂを有する場合、パネル２０の非散乱領域Ａｂから出射する光はわずかであり、パネル２０の散乱領域Ａａから多くの光が出射することになる。図２に示された例では、照明対象物Ｘである壺が、その内面を観察できるように上方から多量の光で照明され、また併せて、暗く観察されやすいくびれ部分が側方から積極的に照明されるようになる。
【００５１】
また、光散乱要素５０は、種々の形態でパネル２０内に含ませることができる。図３に示された例では、粒状の光散乱要素５０が、パネル２０内に分散している。図４〜図８に示された例では、パネル２０内の一部分が、光散乱部５１を形成している。光散乱部５１は、光散乱要素５０を含有する部分である。好ましくは、光散乱部５１は、パネル２０の光散乱部５１以外の部分をなす材料、例えば樹脂材料と同一または略同一の屈折率を有する母材と、母材中に保持された光散乱要素５０と、を有する。このような例によれば、パネル２０の光散乱部５１以外の部分と、光散乱部５１との界面での反射や屈折が抑制される。この結果、パネル２０の各領域での光散乱能の高さを、光散乱部５１の大きさや、光散乱部５１に含まれる光散乱要素５０の屈折率、濃度、大きさ等によって、調節することができる。
【００５２】
図４に示された例において、パネル２０の散乱領域Ａａに、複数の光散乱部５１が設けられている。多くの光散乱部５１は、パネル２０の厚さ方向に延び、パネル２０の厚さ方向に長手方向を有している。すなわち、多くの光散乱部５１について、パネル面に沿った幅ｔよりも厚さ方向に沿った深さｄの方が大きくなっており、光散乱部５１の幅ｔに対する光散乱部５１の深さｄの比（ｄ／ｔ）は１よりも大きくなっている。パネル２０の厚さ方向に延びる光散乱部５１は、パネル２０のパネル面に直交する法線方向から観察した場合、目立たなくなるが、パネル２０内を進む光に対して十分な光散乱能を有する。
【００５３】
また、図４に示された例において、散乱領域Ａａに設けられた複数の光散乱部５１について、光散乱部５１の幅ｔは一定となっている。その一方で、パネル２０の法線方向に沿った光散乱部５１の深さｄは互いに異なっている。図４に示された例では、図面の右側に向けて光散乱部５１の深さｄが深くなっていく。このようなパネル２０では、散乱領域Ａａ内において、図中の右側に向かうにつれて光散乱能が高くなっていく。この例を図２に示されたパネル２０の第１パネル部３１または天板部４３において、両端から中央に向けてしだいに光散乱部５１の深さｄが深くなるように適用してもよい。この適用例によれば、第１パネル部３１または天板部４３の中央において、光の出射が促進される。すなわち、光源１５から最も離間した領域から、十分な光量で光を放出することができる。もしくは、光源１５から離れるにつれて光量が減衰する効果を考慮して設計することにより、発光量の面内分布を均一にすることもできる。
【００５４】
図４に示されたパネル２０は、一具体例として、次のようにして製造され得る。まず、パネル本体４７を、例えば、電子線、紫外線等の電離放射線の照射により硬化する特徴を有するエポキシアクリレート等の硬化性材料を用いて、作製する。作製されるパネル本体４７には、後に光散乱部５１が配置される凹部が形成されている。次に、硬化することによって光散乱部５１の母材をなすようになる硬化性材料と、光散乱要素５０をなす散乱成分と、を含んだ未硬化で液状の組成物を用いて、光散乱部５１を作製する。硬化することによって光散乱部５１の母材をなすようになる硬化性材料として、電離放射線により硬化する特徴を有するウレタンアクリレート等の硬化性材料を用いることができる。光散乱部５１は、次のようにして形成され得る。まず、先に形成されたパネル本体４７上に組成物を供給する。その後、パネル本体４７の凹部の内部に、ドクターブレードを用いながら、組成物を充填しつつ、該凹部外に溢出した余剰分の組成物を掻き落としていく。その後、凹部内の組成物に電離放射線を照射して硬化させることにより、光散乱部５１が形成される。これにより、パネル本体４７及び光散乱部５１を有する図４のパネル２０が作製される。
【００５５】
図５に示されたパネル２０は、第１主面２０ａを形成する第１基材２１と、第２主面２０ｂを形成する第２基材２２と、第１基材２１及び第２基材２２の間に配置された光散乱フィルム２３と、を有している。すなわち、図５に示されたパネル２０は、三つの部材の積層体として形成されている。このうち、光散乱フィルム２３は、図４に示されたパネルと同様の構成を有しており、同様に作製され得る。図５に示されたパネル２０では、主面２０ａ，２０ｂに、光散乱部５１が露出していない。
【００５６】
図６に示されたパネル２０は、散乱領域Ａａにおいて、パネル本体４７及び複数の光散乱部５１を有している。複数の光散乱部５１は、パネル本体４７のパネル面に沿って分散して配置されている。図４に示されたパネル２０では、一定の配列間隔で配列された光散乱部５１が、互いに同一の幅ｔを有し、その一方で互いに異なる深さｄを有することで、パネル２０の各領域での光拡散能を調節した。図６に示された例では、複数の光散乱部５１が、粗密に配列されることで、パネル２０の各領域での光拡散能を変更している。この例では、光散乱部５１は密に配列された領域での光散乱能が高くなる。
【００５７】
図７に示されたパネル２０は、散乱領域Ａａにおいて、パネル本体４７及び光散乱部５１を有している。光散乱部５１は、パネル面に沿って延びている。光散乱部５１は、パネル２０の厚さ方向における中央に位置している。なお、図７に示された例において、光散乱部５１は一定の厚みを有している。図７に示された例では、非散乱領域Ａｂと散乱領域Ａａとの間で、パネル２０の光散乱能は異なるが、散乱領域Ａａ内の各領域においてパネル２０の光散乱能は一定となる。ただし、散乱領域Ａａ内において、光散乱部５１の厚さを変化させることで、散乱領域Ａａ内の各領域においてパネル２０の光散乱能を変化させることができる。具体的には、光散乱部５１を厚くした領域において、パネル２０の光散乱能が高くなる。
【００５８】
図８に示されたパネル２０は、散乱領域Ａａにおいて、パネル本体４７及び光散乱部５１を有している。パネル２０は、さらに、厚さ方向における一方の側から光散乱部５１を覆う光遮蔽部５３を有している。図示された例において、光遮蔽部５３は、各光散乱部５１に対応して設けられ、第１主面２０ａの側から対応する光散乱部５１を覆っている。光遮蔽部５３は、光散乱部５１に入射して光散乱部５１で散乱した光を遮蔽する。具体的な構成として、光遮蔽部５３は、光吸収機能を有した層、例えば黒色顔料を含有した層として形成され得る。光遮蔽部５３は、第１主面２０ａの全面を覆っていないため、パネル２０は可視光透過性を有することができる。図８に示された例によれば、パネル２０の第１主面２０ａからの出射光量を抑制することができる。したがって、パネル２０の第２主面２０ｂからの出射光量が、パネル２０の第１主面２０ａからの出射光量よりも多くなる。図１及び図２に示された例では、パネル２０の第２主面２０ｂの側のみに、照明対象物Ｘまたは照明対象領域Ｚが位置している。したがって、図８に示されたパネル２０は、このような照明対象物Ｘまたは照明対象領域Ｚを照明する際に、光源１５からの光を有効に利用して明るく照明することができる。
【００５９】
他の例として、光遮蔽部５３は、第１主面２０ａ側に位置する光吸収機能を有した層と、光散乱部５１の側に位置する反射機能を有した反射層と、を有するようにしてもよい。この例において、光遮蔽部５３は、光散乱部５１で散乱した光のうち第１主面２０ａ側に進む光を反射層で反射して、第２主面２０ｂ側へ向けることができる。この例によれば、パネルの第１主面２０ａからの出射光量を抑制しつつ、パネル２０の第２主面２０ｂからの出射光量を増大させることができる。これにより、光源１５の利用効率を向上させることができる。
【００６０】
次に、以上のような構成を有する照明装置１０の作用について説明する。
【００６１】
図示された照明装置１０は、展示装置５として機能する。照明装置１０は、パネル２０及び支持ベース７０によって区画された空間に照明対象領域Ｚを形成する。そして後述するように、照明装置１０は、光源１５から射出した光を照明光として、照明対象領域Ｚに照射する。図２に示すように、照明対象領域Ｚとなる支持ベース７０上には、照明対象物Ｘが載置されている。パネル２０は、可視光透過性を有するため、パネル２０越しに照明対象物Ｘを観察することができる。すなわち、照明対象物Ｘに向けて照明光を放出する部材としてのパネル２０が可視光透過性を有している。このような形態によれば、照明対象物Ｘまたは照明対象領域Ｚが光源１５等によって隠されて観察しにくくなることを効果的に回避することが可能となるだけでなく、照明対象物Ｘまたは照明対象領域Ｚの近傍までパネル２０を延ばすことで照明対象物Ｘまたは照明対象領域Ｚを明るく照明し得るので、照明対象物Ｘまたは照明対象領域Ｚを観察し易くすることができる。また、可視光透過性であるパネル２０は、照明対象物Ｘまたは照明対象領域Ｚと調和しやすく、照明対象物Ｘまたは照明対象領域Ｚを害する原因にもなりにくい。むしろ、意外性のある照明により、照明対象物Ｘまたは照明対象領域Ｚの意匠性を引き立たせることができる。
【００６２】
次に、照明装置１０が、照明光を放出する際の作用について説明する。まず、図２及び図３に示すように、光源１５で発光された光は、パネル２０の端面２０ｃを介し、パネル２０内に入射する。パネル２０のパネル本体４７をなす樹脂材料の屈折率が、通常、１．４〜１．６であることに起因して、図３に示すように、屈折率１の空気層を介してパネル２０のパネル本体４７内に入射した光Ｌ３１の進行方向は、パネル２０の端面２０ｃへの法線方向に対して、すなわちパネル面に沿った方向に対して大きく傾斜することはない。そして、パネル２０のパネル本体４７へ入射した光Ｌ３２の多くは、パネル２０の第１主面２０ａおよび第２主面２０ｂにおいて、反射、とりわけパネル本体４７と、パネル本体４７に隣接する層、図示された例では空気層と、の屈折率差に起因した全反射を繰り返し、パネル２０内をパネル面に沿って進んでいく。
【００６３】
その一方で、パネル２０には、光散乱要素５０が設けられている。光散乱要素５０は、パネル２０を進む光の進行方向を変化させる。図３に示すように、光散乱要素５０によって進行方向を曲げられた光Ｌ３３は、全反射臨界角度以下の角度でパネル２０の第１主面２０ａ及び第２主面２０ｂに入射し、第１主面２０ａ及び第２主面２０ｂを介してパネル２０から出射するようになる。このうち、第２主面２０ｂから出射した光Ｌ３３が、照明光として照明対象領域Ｚを照明し、又は、照明対象物Ｘに照射される。
【００６４】
パネル２０からの光の取り出しは、光散乱要素５０での光散乱で実現されている。すなわち、パネル２０の各領域からの出射光量は、当該領域の光散乱能に対応して増減する。そして、図示された例では、パネル２０の各領域での光散乱能は、パネル面に沿って変動している。具体的には、パネル２０は、照明対象物Ｘの照射されるべき部分に対応する位置に光散乱能を有した散乱領域Ａａを有している。また、散乱領域Ａａ内においても、光散乱能を調整することで、当該散乱領域Ａａ内における各領域からの出射光量が制御され得る。上述したように、図２に示された例では、照明対象物Ｘである壺が、その内面を観察できるように上方から多量の光で照明され、また併せて、暗く観察されやすいくびれ部分が側方から積極的に照明されるようになる。
【００６５】
図示されたパネル２０は、図３に示すように、平板状の第１パネル部３１と、平板状の第２パネル部３２と、第１パネル部３１及び第２パネル部３２を接続する接続部３３と、を有している。接続部３３は、曲面部２６をなしている。そして、光源１５からの光は、第２パネル部３２からパネル２０内に入手する。具体的には、光源１５は、第２パネル部３２の端面部３２ｃに対面して位置している。端面部３２ｃから第２パネル部３２に入射した光は、第２パネル部３２及び接続部３３内を進んで、第１パネル部３１まで到達することできる。この例においては、第１パネル部３１での光散乱能は、第２パネル部３２での光散乱能よりも高くなっている。このような照明装置１０では、光源１５からの光が第２パネル部３２から出射することを抑制し、その一方で、第１パネル部３１から出射することを促進することができる。したがって、光源１５から照明対象物Ｘまたは照明対象領域Ｚまで効率的に光を誘導することができ、光源１５のエネルギー効率を向上させることができる。また、照明対象物Ｘまたは照明対象領域Ｚから遠く離れた位置に光源１５を設置することができる。さらに、光源１５の配置の自由度を高めながら、照明対象物Ｘまたは照明対象領域Ｚを所望の方向から照明することも可能となる。
【００６６】
また、図示されたパネル２０は、図１に示すように全体的に捉えると、筒状の筒状側部４０と、筒状側部４０の一方の開口を塞ぐ接続部４４と、筒状側部４０及び接続部４４を接続する接続部４４と、を有している。筒状側部４０は、平板状の複数の側パネル部４１と、二つの側パネル部４１を接続する側接続部４２と、を有している。接続部４４及び側接続部４２は、曲面部２６となっている。また、図１に示された例において、天板部４３での光散乱能は、筒状側部４０での光散乱能よりも高くなっている。
【００６７】
このような照明装置１０では、光源１５からの光が筒状側部４０から出射することを抑制し、その一方で、天板部４３から出射することを促進することができる。したがって、光源１５から照明対象物Ｘまたは照明対象領域Ｚまで効率的に光を誘導することができ、光源１５のエネルギー効率を向上させることができる。また、照明対象物Ｘまたは照明対象領域Ｚから遠く離れた位置に光源１５を設置することができる。さらに、光源１５の配置の自由度を高めながら、照明対象物Ｘまたは照明対象領域Ｚを所望の方向から照明することも可能となる。
【００６８】
さらに、図示された照明装置１０では、照明対象物Ｘまたは照明対象領域Ｚをパネル２０によって覆うことができる。すなわち、パネル２０は、照明対象物Ｘまたは照明対象領域Ｚを保護しながら、照明対象物Ｘまたは照明対象領域Ｚに向けて射出することができる。
【００６９】
ここで、図９〜図１３は、図１に示された外形状を有するパネルでの導光作用をシミュレーションした結果である。このシミュレーションでは、パネルが光散乱要素を含んでいないものとし、導光作用を観察した。シミュレーションには、Ｓｙｎｏｐｓｙｓ製の照明設計解析ソフトウェアＬｉｇｈｔＴｏｏｌｓを用いた。シミュレーションは、サンプル１〜３について実施した。サンプル１〜３に係るパネル２０は、ともに、上述した筒状側部４０、接続部４４及び天板部４３を有するようにした。より具体的には、サンプル１〜３は、外輪郭が立方体となっている中空材について、一つの面を取り除き且つ隣り合う面の接続縁を面取りしてなる形状を有するようにした。元になる立方体の一辺の長さは３００ｍｍとし、パネルの厚みを６ｍｍとした。立方体の接続縁を面取りすることで形成された曲面部２６、言い換えると上述の接続部４４及び側接続部４２が形成する曲面部２６の第１主面２０ａ側での曲率半径を、サンプル１について２０ｍｍとし、サンプル２について３０ｍｍとし、サンプル３について４０ｍｍとした。また、各サンプルに対する光源の配置および構成は、図２及び図３を参照して説明した配置及び構成と同様にした。
【００７０】
図９は、サンプル１に係るパネル内を進む光のシミュレーション結果を説明するための図であり、図２及び図３と同様のパネルの縦断面において光路シミュレーション結果を示している。図１０は、サンプル２に係るパネル内を進む光のシミュレーション結果を説明するための図であり、図２及び図３と同様のパネルの縦断面において光路シミュレーション結果を示している。図１１は、サンプル２に係るパネル内を進む光のシミュレーション結果を説明するための図であり、図２及び図３と同様のパネルの縦断面において光路シミュレーション結果を示している。図１２は、サンプル１に係るパネル内を進む光のシミュレーション結果を説明するための図であり、パネルの斜視図において光路シミュレーション結果を示している。図１３は、サンプル３に係るパネル内を進む光のシミュレーション結果を説明するための図であり、パネルの斜視図において光路シミュレーション結果を示している。
【００７１】
サンプル１に係るパネル２０では、入射光のうちの４．４％の光が、天板部４３へ到達する前に、曲面部２６をなす接続部４４及び側接続部４２から出射した。サンプル２に係るパネル２０では、入射光のうちの０．８％の光が、天板部４３へ到達する前に、曲面部２６をなす接続部４４及び側接続部４２から出射した。サンプル３に係るパネル２０では、入射光のうちの０．１％の光が、天板部４３へ到達する前に、曲面部２６をなす接続部４４及び側接続部４２から出射した。このシミュレーション結果から、パネル２０に入射した光の多くが、曲面部２６をなす接続部４４及び側接続部４２を通過してパネル２０の天板部４３まで進むことが確認された。また、接続部４４及び側接続部４２をなす曲面部２６の曲率半径を大きくすることで、曲面部２６からの光の漏れ出しを効果的に抑制し得ることが確認された。その一方で、接続部４４及び側接続部４２をなす曲面部２６の曲率半径を小さくすることで、曲面部２６からいくらかの光を出射させることができた。この場合、パネル２０の接続部４４及び側接続部４２を光らせることができ、照明装置１０の意匠性、とりわけ展示装置５として用いられる照明装置１０の意匠性を効果的に向上させることができた。
【００７２】
上述した一実施の形態において、照明装置は、光源１５と、光源１５からの光を受ける可視光透過性のパネル２０と、を有している。パネル２０は、曲面部２６及び屈曲部２７の少なくとも一方を含んでいるパネル２０は、当該パネル２０内を進む光を散乱させる光散乱要素５０を含んでいる。この照明装置１０では、可視光透過性のパネル２０が、光源１５から射出した光を導光することができ、また、光散乱要素５０が、パネル２０内の光を散乱させることでパネル２０から出射させることができる。このような照明装置１０では、照明対象物Ｘまたは照明対象領域Ｚから離間した位置に光源１５を配置することが可能となる。とりわけ、パネル２０が、屈曲部２６を含むので、光源１５の配置の自由度を効果的に高めることができる。したがって、光源１５が照明対象物Ｘまたは照明対象領域Ｚと重なって視認されることを効果的に防止することができ、これにより、照明対象物Ｘまたは照明対象領域Ｚが光源１５によって観察されにくくなることを効果的に回避することができる。また、光源１５から照明対象物Ｘまたは照明対象領域Ｚへと光を誘導するパネル２０は、可視光透過性であることから、照明対象物Ｘまたは照明対象領域Ｚを隠蔽することはない。さらに、可視光透過性であるパネル２０は、照明対象物Ｘまたは照明対象領域Ｚと調和しやすく、照明対象物Ｘまたは照明対象領域Ｚの意匠性を害する原因にもなりにくい。むしろ、意外性のある照明により、照明対象物Ｘまたは照明対象領域Ｚの意匠性を引き立たせることができる。以上のことから、上述した一実施の形態によれば、照明装置１０が照明対象物Ｘまたは照明対象領域Ｚと効果的に調和し、併せて、照明対象物Ｘまたは照明対象領域Ｚの観察し易さに及ぼし得る照明装置１０の悪影響を効果的に抑制することができる。
【００７３】
また、上述した一実施の形態において、パネル２０は、パネル本体４７と、パネル本体４７内に設けられた光散乱要素５０と、を含んでいる。このような照明装置１０では、パネル２０内を進む光は、パネル２０内での内部散乱によりパネル２０から取り出される。したがって、パネル２０の一対の主面２０ａ，２０ｂに凹凸を形成する必要がないため、パネル２０の主面２０ａ，２０ｂでの外光の散乱を効果的に防止することができる。これにより、可視光透過性のパネル２０を介した照明対象物Ｘまたは照明対象領域Ｚの視認性を良好とすることができる。
【００７４】
さらに、上述した一実施の形態において、パネル２０の各領域での光散乱能は一定ではない。また、パネル２０の各領域でのヘイズ値は一定ではない。このような照明装置１０では、パネル２０のうちの光散乱能が高い領域やヘイズ値の高い領域において、パネル２０からの出射光量を増大させることができる。したがって、光源１５から照明対象物Ｘまたは照明対象領域Ｚへ向けて効率的に光を誘導することができ、光源のエネルギー効率を向上させることができる。
【００７５】
さらに、上述した一実施の形態において、例えば図８に示された構成を採用することで、パネル２０の第２主面２０ｂからの出射光量を、パネル２０の第１主面２０ａからの出射光量よりも多くすることができる。このような照明装置１０では、パネル２０から出射する光の多くを、照明対象物Ｘまたは照明対象領域Ｚに向けることができ、この点において、光源のエネルギー効率を向上させることができる。
【００７６】
なお、上述した一実施の形態に対して様々な変更を加えることが可能である。以下、図面を参照しながら、変形の一例について説明する。以下の説明および以下の説明で用いる図面では、上述した一実施の形態と同様に構成され得る部分について、上述の一実施の形態における対応する部分に対して用いた符号と同一の符号を用いるとともに、重複する説明を省略する。
【００７７】
図１４に示すように、照明装置１０が、曲面部２６においてパネル２０に積層された反射層６０を、更に備えるようにしてもよい。図９〜図１３を参照して説明したように、パネル２０の曲面部２６では、光散乱要素５０が存在しなくても、光が出射し得る。図１４に示すように、曲面部２６では、パネル２０の主面２０ａ，２０ｂの傾斜角度が変化する。このことにともない、光Ｌ１４１の主面２０ａ，２０ｂへの入射角度が、全反射臨界角度以下となり、光Ｌ１４１は、光散乱要素５０で散乱されることなく曲面部２６においてパネル２０から出射し得る。図１４に示された例において、反射層６０は、このような光Ｌ１４１を反射して、当該光Ｌ１４１をパネル２０内で導光することができる。図１４に示された例において、反射層６０は、入射角度が小さくなる傾向のある第１主面２０ａ上に設けられている。この例によれば、パネル２０の曲面部２６からの光の漏れ出しを効果的に防止することができるとともに、曲面部２６において、第２主面２０ｂの側からの出射を促進することも可能となる。したがって、曲面部２６を設けることで光源１５の配置の自由度を高めながら、光源１５のエネルギー効率を向上させることができる。反射層６０は、例えば反射性を有した膜、例えば、銀やアルミニウム等の薄膜として形成され得る。
【００７８】
なお、図１４に示された例に限られず、第１主面２０ａに代えて又は第１主面２０ａに加えて、第２主面２０ｂ上にも反射層６０を設けるようにしてもよい。この例においては、パネル２０の曲面部２６における光の漏れ出しを効果的に防止することができる。
【００７９】
また、図１５に示すように、照明装置１０が、曲面部２６においてパネル２０を覆う遮光部材６５を、更に有するようにしてもよい。このような照明装置１０では、遮光部材６５が、曲面部２６においてパネル２０から意図せず漏れ出した光Ｌ１５１を遮光する。したがって、観察者がパネル２０の曲面部２６に眩しさを感じることを効果的に防止することができる。図１５に示された例において、遮光部材６５は、遮光性を有した遮光層６６と、遮光層６６のパネル２０側に積層された反射層６７と、を有している。遮光層６６は、一例として、黒色顔料を含有した樹脂材料から形成され得る。また、反射層６７は、銀やアルミニウム等の薄膜として形成され得る。遮光部材６５が反射層６７を有することで、パネル２０から漏れ出した光を遮光するだけでなく、パネル２０に戻して照明光としての利用を図ることができる。
【００８０】
遮光部材６５に関する別の例として、遮光部材６５が、遮光性と反射性を有した材料、例えばアルミニウム等の薄板として形成してもよい。さらに、図示された例において、遮光部材６５は、一箇所において略９０度折れ曲がった板状の部材として形成されているが、この例に限られず、例えば、遮光部材６５は、複数箇所で折れ曲がった部材として形成されていてもよい。
【００８１】
さらに、上述した実施の形態において、第１パネル部３１及び第２パネル部３２を接続する接続部３３、筒状側部４０及び天板部４３を接続する接続部４４、及び、二つの側パネル部４１を接続する側接続部４２が、曲面部２６として形成されている例を示したが、この例に限られない。接続部３３、接続部４４及び側接続部４２の一以上が、図１６及び図１７に示すように、屈曲部２７として形成されていてもよい。図１６及び図１７に示された例では、パネル２０が、接続部３３及び接続部４４において、屈曲している。言い換えると、パネル２０の第１主面２０ａが、接続部３３及び接続部４４において、屈曲している。すなわち、接続部３３及び接続部４４が、屈曲部２７として形成されている。図１６に示された屈曲部２７は、三角柱状の形状を有し、側面の二辺が、それぞれ、第１パネル部３１の端面部３１ｃまたは第２パネル部３２の端面部３２ｃに接続している。また、側面の他の一辺が、反射層６０または反射性を有した遮光部材６５によって、覆われている。一方、図１７に示された例において、屈曲部２７が二段階に折れ曲がっている。これらの屈曲部２７によっても、第１パネル部３１及び第２パネル部３２ｂの間で光を導光することができる。したがって、このような照明装置１０によっても、照明対象物Ｘまたは照明対象領域Ｚと効果的に調和し、併せて、照明対象物Ｘまたは照明対象領域Ｚの観察し易さに及ぼし得る照明装置１０の悪影響を効果的に抑制することができる。
【００８２】
さらに、上述した一実施の形態における照明装置１０は、一例に過ぎず、照明装置１０が図１８及び図１９に示された形態を有するようにしてもよい。図１８に示された照明装置１０は、半球状の外輪郭を有するパネル２０と、半球の開口部分を塞ぐように設けられた支持ベース７０と、を有している。また、図１９に示された照明装置１０は、球形状の一部分を開口した形状を有するパネル２０と、開口部分を塞ぐように設けられた支持ベース７０と、を有している。これらの照明装置１０では、パネル２０と支持ベース７０とによって区画された空間が、照明対象領域Ｚを形成し且つ照明対象物Ｘを収容することができる。したがって、図１８及び図１９に示された照明装置１０も、展示装置５として機能し、上述の実施形態と同様の作用効果を奏することができる。
【００８３】
さらに、図２０に示された照明装置１０において、パネル２０は、平板状の第１パネル部３１と平板状の第２パネル部３２と、第１パネル部３１及び第２パネル部３２を接続する接続部３３と、を有している。第２パネル部３２の下端部分が支持ベース７０によって保持され、第２パネル部３２は縦方向または鉛直方向に延びている。接続部３３は、曲面部２６または屈曲部２７として形成されている。この接続部３３により、第２パネル部３２のパネル面と第１パネル部３１のパネル面を非平行に維持することができる。第１パネル部３１は、横方向または水平方向に広がっている。この例では、第１パネル部３１の光拡散能が、第２パネル部３２の光拡散能よりも高くなっており、光源１５から射出された光は、主として、第１パネル部３１まで導光された後に第１パネル部３１から出射する。このような照明装置１０は、電気スタンドとしても機能し、上述の実施形態と同様の作用効果を奏することができる。
【００８４】
また、上述した実施の形態において、光源１５が、パネル２０の端面２０ｃに対面して配置されている例を示したが、この例に限られない。例えば、図２１に示すようにパネルの側面に対面して配置されていてもよい。図２１に示された例においても、パネル２０は、光源１５で発光された光を受け、その内部において当該光を導光することができる。
【００８５】
なお、以上において上述した実施の形態に対するいくつかの変形例を説明してきたが、当然に、複数の変形例を適宜組み合わせて適用することも可能である。
【符号の説明】
【００８６】
５     展示装置
１０   照明装置
１５   光源
２０   パネル
２０ａ 第１主面
２０ｂ 第２主面
２０ｃ 端面
２１   第１基材
２２   第２基材
２３   光散乱フィルム
２６   曲面部
２７   屈曲部
３１   第１パネル部
３１ａ 第１パネル部第１主面
３１ｂ 第１パネル部第２主面
３１ｃ 端面部
３２   第２パネル部
３２ａ 第２パネル部第１主面
３２ｂ 第２パネル部第２主面
３２ｃ 端面部
３３   接続部
３３ａ 接続部第１主面
３３ｂ 接続部第２主面
３３ｃ 端面部
４０   筒状側部
４１   側パネル部
４２   側接続部
４３   天板部
４４   接続部
４７   パネル本体
５０   光散乱要素
５１   光散乱部
５３   光遮蔽部
６０   反射層
６５   遮光部材
６６   遮光層
６７   反射層
７０   支持ベース
７１   載置部
７２   保持部
Ａａ   散乱領域
Ａｂ   非散乱領域
Ｘ     照明対象物
Ｚ     照明対象領域
【図１】
2018125191.tif 000003
【図２】
2018125191.tif 000004
【図３】
2018125191.tif 000005
【図４】
2018125191.tif 000006
【図５】
2018125191.tif 000007
【図６】
2018125191.tif 000008
【図７】
2018125191.tif 000009
【図８】
2018125191.tif 000010
【図９】
2018125191.tif 000011
【図１０】
2018125191.tif 000012
【図１１】
2018125191.tif 000013
【図１２】
2018125191.tif 000014
【図１３】
2018125191.tif 000015
【図１４】
2018125191.tif 000016
【図１５】
2018125191.tif 000017
【図１６】
2018125191.tif 000018
【図１７】
2018125191.tif 000019
【図１８】
2018125191.tif 000020
【図１９】
2018125191.tif 000021
【図２０】
2018125191.tif 000022
【図２１】
2018125191.tif 000023